(57)【要約】【課題】  発行する定期券の区間に対する経路が分かり易い定期券発行装置を提供する。【解決手段】  実施形態によれば、定期券発行装置は、発駅設定部と、着駅設定部と、経路表示部と、定期券発行部とを有する。発駅設定部は、発駅を設定する。着駅設定部は、着駅を設定する。経路表示部は、前記発駅設定部により設定した発駅と前記着駅設定部により設定した着駅との区間に対する経路を会社線ごとに表示状態を変更して表示する。定期券発行部は、前記経路表示部により表示した経路での定期券の発行指示に応じて定期券を発行する。【選択図】図２
2018190087.tif 000002
【特許請求の範囲】
【請求項１】
発駅を設定する発駅設定部と、
着駅を設定する着駅設定部と、
前記発駅設定部により設定した発駅と前記着駅設定部により設定した着駅との区間に対する経路を会社線ごとに表示状態を変更して表示する経路表示部と、
前記経路表示部により表示した経路での定期券の発行指示に応じて定期券を発行する定期券発行部と、
を有する定期券発行装置。
【請求項２】
前記経路表示部は、前記経路における複数の駅を順番に並べて各駅を会社線ごとに色分けして表示する、
請求項１に記載の定期券発行装置。
【請求項３】
前記経路表示部は、前記経路における複数の駅を順番に並べて会社線ごとに文字飾りを付与して表示する、
請求項１に記載の定期券発行装置。
【請求項４】
前記経路表示部は、さらに、前記経路における連絡駅を他の駅とは異なる表示状態で表示する、
請求項１乃至３の何れか１項に記載の定期券発行装置。
【請求項５】
前記経路表示部は、前記連絡駅を括弧で囲んで表示する、
請求項４に記載の定期券発行装置。
【請求項６】
前記区間に対する経路の候補となる複数の経路をそれぞれ会社線ごとに表示状態を変更して表示する経路候補表示部を有し、
前記経路表示部は、前記経路候補表示部により表示した経路の候補から選択される１つの経路を前記区間に対する経路として設定する、
請求項１乃至５の何れか１項に記載の定期券発行装置。
【発明の詳細な説明】
【技術分野】
【０００１】
本発明の実施形態は、定期券発行装置に関する。
【背景技術】
【０００２】
鉄道などの交通機関では、係員または購入者自身が操作する定期券発行装置が定期券を発行する。定期券発行装置は、発行する定期券の区間に対する経路の確認を促すため、設定された経路を表示する。定期券発行装置は、表示した経路を係員または購入者自身が確認した後に定期券を発行する。また、定期券発行装置は、指定された区間に対して複数の経路候補がある場合、複数の経路候補を表示し、表示した経路候補から選択される経路を定期券の区間に対する経路として設定する。しかしながら、従来の定期券発行装置は、表示する経路において複数の会社線がどのような区間で組合せられているかが分かり難いことがある。
【先行技術文献】
【特許文献】
【０００３】
【特許文献１】特開２００１−８４４１２号公報
【発明の概要】
【発明が解決しようとする課題】
【０００４】
上記の課題を解決するために、本発明は、発行する定期券の区間に対する経路が分かり易い定期券発行装置を提供することを目的とする。
【課題を解決するための手段】
【０００５】
実施形態によれば、定期券発行装置は、発駅設定部と、着駅設定部と、経路表示部と、定期券発行部とを有する。発駅設定部は、発駅を設定する。着駅設定部は、着駅を設定する。経路表示部は、前記発駅設定部により設定した発駅と前記着駅設定部により設定した着駅との区間に対する経路を会社線ごとに表示状態を変更して表示する。定期券発行部は、前記経路表示部により表示した経路での定期券の発行指示に応じて定期券を発行する。
【図面の簡単な説明】
【０００６】
【図１】図１は、実施形態に係る定期券発行システムの構成例を概略的に示す図である。
【図２】図２は、実施形態に係る定期券発行装置の構成例を示すブロック図である。
【図３】図３は、実施形態に係る定期券発行装置における新規定期券の発行処理を説明するためのフローチャートである。
【図４】図４は、実施形態に係る定期券発行装置が表示する発行内容の確認画面の表示例を示す図である。
【図５】図５は、実施形態に係る定期券発行装置が表示する自線単独の経路の表示例を示す図である。
【図６】図６は、実施形態に係る定期券発行装置が表示する２線連絡の経路の表示例を示す図である。
【図７】図７は、実施形態に係る定期券発行装置が表示する３線連絡の経路の表示例を示す図である。
【図８】図８は、実施形態に係る定期券発行装置が表示する４線連絡の経路の表示例を示す図である。
【図９】図９は、実施形態に係る定期券発行装置における発着経由の設定処理の例を説明するためのフローチャートである。
【図１０】図１０は、実施形態に係る定期券発行装置が表示する発駅選択画面の表示例を示す図である。
【図１１】図１１は、実施形態に係る定期券発行装置が表示する着駅選択画面の表示例を示す図である。
【図１２】図１２は、実施形態に係る定期券発行装置が表示する乗換駅（連絡駅）の選択画面の表示例を示す図である。
【図１３】図１３は、実施形態に係る定期券発行装置が表示する３線入口または２線単独の選択画面の表示例を示す図である。
【図１４】図１４は、実施形態に係る定期券発行装置が表示する経路選択画面の表示例を示す図である。
【図１５】図１５は、実施形態に係る定期券発行装置としての自動定期券発行機が表示する経由選択画面の表示例を示す図である。
【発明を実施するための形態】
【０００７】
以下、実施の形態について、図面を参照して説明する。  
図１は、実施形態に係わる定期券発行システム１１の概略構成を示す図である。  
定期券発行システム１１は、電鉄会社などの交通機関で運用されるシステムである。定期券発行システム１１は、定期券、普通乗車券または特急券などの乗車券として用いられる記憶媒体を処理するシステムである。乗車券として用いられる記憶媒体は、ＩＣチップにデータが記録される非接触式ＩＣカード、あるいは、磁気情報が記録される磁気券あるいは磁気カードなどの磁気式記録媒体などがある。以下に説明する実施形態においては、主に、定期券として非接触式ＩＣカード（以下、ＩＣ定期券と称する）が用いられる場合について説明するものとする。
【０００８】
図１に示す構成例において、定期券発行システム１１は、定期券サーバ１２、および、定期券発行装置１３を有する。定期券発行装置１３は、係員が操作する係員定期券発行機１３ａおよび購入者自身が操作する自動定期券発行機１３ｂがある。定期券発行システム１１は、例えば、電鉄会社ごとに設けられるものとする。定期券サーバ１２は、ＬＡＮなどのセキュアなネットワーク（専用回線）を介して各所（駅など）に設置された定期券発行装置１３としての係員定期券発行機１３ａ、および、自動定期券発行機１３ｂに接続されている。定期券サーバ１２は、定期券に関する情報を管理する。例えば、定期券サーバ１２は、当該システム１１内の係員定期券発行機１３ａおよび自動定期券発行機１４ｂで発行した定期券に関する情報を管理する。
【０００９】
係員定期券発行機１３ａは、係員窓口内に設置され、係員の操作に応じて定期券を発行する定期券発行装置である。係員定期券発行機１３ａは、非接触式ＩＣカード（以下、ＩＣカード）または磁気券を記録媒体とする新規の定期券を発行する機能を有する。また、係員定期券発行機１３ａは、発行済みの定期券に対する継続の定期券を発行する機能、および、発行済みの定期券に対する払戻処理を行う機能なども有する。
【００１０】
自動定期券発行機１３ｂは、利用者（購入者）自身の操作に応じて定期券を発行する機能を有する。自動定期券発行機１３ｂは、ＩＣカードまたは磁気券を記録媒体とする新規の定期券を発行する機能を有する。また、自動定期券発行機１３ｂは、発行済みの定期券に対する継続定期券を発行する機能なども有する。
【００１１】
次に、定期券発行装置１３の構成について説明する。  
図２は、定期券発行装置１３の基本的な構成例を示すブロック図である。  
図２に示す構成例において、定期券発行装置１３は、制御部３１、記憶部３２、ＩＣカード処理部３３、磁気券処理部３４、金額処理部３５、操作表示部３６および通信インターフェース３７などを有する。
【００１２】
制御部３１は、定期券発行装置１３全体の制御を司る。制御部３１は、プロセッサ、各種メモリ及び各種インターフェースなどにより構成される。制御部３１では、プロセッサがメモリに記憶されたプログラムを実行することにより、種々の処理機能を実現している。  
記憶部３２は、制御プログラムおよび制御データなどを記憶する。また、記憶部３２は、定期券の区間及び経路を検索するための経路データ、定期券に関する運賃データなどを記憶するようにしても良い。
【００１３】
ＩＣカード処理部３３は、定期券として発行するＩＣカードを処理するユニットである。ＩＣカード処理部３３は、カードリーダライタおよび券面印刷部などにより構成する。カードリーダライタは、ＩＣカードと通信するインターフェースである。カードリーダライタは、制御部３１からの指示に応じてＩＣカードにコマンドに供給することにより、ＩＣカードの記憶部が記憶するデータを読み取ったり、ＩＣカードの記憶部にデータを書き込んだりする。カードリーダライタは、ＩＣ定期券を配置する配置部を設け、配置部にセットしたＩＣ定期券に対して記憶内容を読み取ったり、記憶内容を書き換えたりするように構成しても良い。なお、カードリーダライタは、利用者が提示するクレジットカードなどのＩＣカードを処理する機能も有するものとしても良い。
【００１４】
券面印刷部は、ＩＣ定期券の表面に情報を印刷する。券面印刷部は、ＩＣカードの表面に書換え（リライト）可能な情報を印字する機能を有する。例えば、券面印刷部は、熱を加えてＩＣカード表面の印字内容を消去（消色）した後、ＩＣカード表面に情報を印刷する。券面印刷部は、継続定期券を発行する場合、利用者が提示するＩＣ定期券に印刷されている情報を消去した後、継続定期券としての券面情報（有効区間、有効期間、利用者情報など）を印刷する。
【００１５】
また、ＩＣカード処理部３３において、カードリーダライタと券面印刷部とは、図示しない搬送機構により接続される。例えば、ＩＣカード処理部３３は、カードリーダライタと券面印刷部とが搬送機構により搬送されるＩＣカードに対して順に処理を施し、処理後のＩＣカードを図示しないカード放出口から放出するように構成する。また、カードリーダライタと券面印刷部とは、カード投入口に投入されたＩＣカードを取込んで処理するようにしても良い。
【００１６】
磁気券処理部３４は、定期券として発行する磁気券を処理するユニットである。磁気券処理部３４は、磁気情報を書込む書込ヘッド、磁気情報を読み取る読取ヘッド、券面に情報を印字する印字部および搬送機構などにより構成する。磁気券処理部３４は、書込ヘッド、読取ヘッドおよび印字部が搬送機構により搬送される磁気券（磁気記録媒体）に対して順に処理を施し、定期券情報を記録した磁気券（磁気定期券）を放出口から放出するように構成する。
【００１７】
金額処理部３５は、紙幣や硬貨などの現金を処理する。金額処理部３５は、紙幣処理部及び硬貨処理部により構成される。金額処理部３５は、投入口から投入された紙幣や硬貨に対して鑑査及び計数を行い、返却すべきつり銭などの現金を図示しない放出口から放出する。例えば、定期券の発行処理において、係員は、利用者（購入者）から定期券の代金として受取った受け取った現金を投入口へ投入し、放出口から放出されたつり銭を利用者へ手渡す。
【００１８】
操作表示部３６は、操作部および表示部として機能する。例えば、操作表示部３６は、タッチパネル付きの液晶表示装置により構成する。係員定期券発行機１３ａでは、操作表示部３６は、操作する係員に対して案内などを表示し、係員からの操作指示を受付ける。また、自動定期券発行機１３ｂでは、操作表示部３６は、操作する購入者に対して操作画面や操作案内などを表示し、購入者からの操作指示を受付ける。なお、操作部および表示部はそれぞれ設けても良いし、操作部としては、テンキー、キーボードあるいはポインティングデバイスなどを設けても良い。
【００１９】
通信インターフェース３７は、定期券サーバ１２とのデータ通信を行うインターフェースである。例えば、定期券を発行する場合、通信インターフェース３７は、制御部３１の制御に従って定期券サーバ１２への発行の可否の問合せを送信し、定期券サーバ１２からの問合せに対する応答を受信する。また、定期券を発行した場合、通信インターフェース３７は、制御部３１の制御に従って定期券サーバ１２へ発行した定期券の内容を示す情報を定期券サーバ１２へ送信する。
【００２０】
なお、係員定期券発行機１３ａおよび自動定期券発行機１３ｂは、それぞれ図２に示す構成以外にも種々の構成を具備しても良い。たとえば、係員定期券発行機１３ａは、係員用の表示部および操作部として機能する操作表示部の他に、利用者（購入者）に対して案内を表示する顧客表示部を設けても良い。例えば、顧客表示部は、発行する定期券の内容などを利用者に確認させるための案内を表示する。また、顧客表示部は、利用者が操作可能なタッチパネルなどの操作部を有するものであっても良い。例えば、利用者に表示内容を確認したことをタッチパネルにより入力させるようにしても良い。
【００２１】
また、係員定期券発行機１３は、データ入力部として、利用者が記入した定期券購入の申請書や証明書を光学的に読み取るスキャナを設けても良いし、スキャナで読み取った申請書等の画像から文字を認識するＯＣＲなどを設けても良い。例えば、利用者が手書きした氏名を定期券の券面に印刷する運用である場合、データ入力部により申請書の氏名記入欄の画像を読み取るようにすれば良い。
【００２２】
次に、実施形態に係る定期券発行装置１３による定期券の発行処理について説明する。  
定期券発行所においては、係員が、購入者（利用者）の申し出に応じて定期券を発行するための操作を行う。係員定期券発行機１３ａは、係員の操作に応じて定期券を発行する。また、自動定期券発行機１３ｂは、購入者自身の操作に応じて定期券を発行する。ここでは、主として、定期券発行装置１３としての係員定期券発行機１３ａが新規にＩＣ定期券を発行する場合の発行処理を想定して説明するものとする。
【００２３】
図３は、定期券発行装置１３における新規定期券の発行処理を説明するためのフローチャートである。  
新規に定期券の発行を希望する購入者は、定期券発行装置１３を操作する係員に定期券の発行内容などを記載した購入申込書（申請書）を提示する。また、購入者は、発行を希望する券種に応じて学生証又は通学証明書等の必要な証明書類を提示する。係員は、提示された書類を確認した後、操作表示部３６により定期券の発行処理の開始を指示する。ここでは、ＩＣ定期券の新規発行が指示されるものとする。
【００２４】
ＩＣ定期券の新規発行が指示されると（Ｓ１１、ＹＥＳ）、定期券発行装置１３の制御部３１は、発行する定期券の区間（発駅および着駅）および経由を設定する発着経由の設定処理（発着経由選択）を行う（Ｓ１２）。発着経由の設定処理は、発駅、着駅、および、経由を操作者（係員）が設定（選択）する処理である。制御部３１は、発着経由の設定処理を実行することにより、発駅設定部および着駅設定部として機能する。発着経由の設定処理において、制御部３１は、発駅選択画面を表示して係員による発駅の選択を受付け、着駅選択画面を表示して係員による発駅の選択を受け付け、経由選択画面を表示して係員による経由の選択を受付ける。なお、発着経由の設定処理については、後で詳細に説明するものとする。
【００２５】
区間（発駅と着駅）および経由が設定されると、制御部３１は、定期券の発行条件を設定する処理を行う（Ｓ１３）。発行条件としては、定期券種別（例えば、通勤、通学、障害、介護など）、有効期間（例えば、１ヶ月、３ヶ月、６ヶ月）、および、支払種別などがある。制御部３１は、各種の発行条件を設定（選択）するための設定（選択）画面を操作表示部３６に表示して係員による発行条件の入力を受付ける。なお、発行条件の一部または全部は、購入者が提示する発行済みの磁気定期券などの記憶媒体から読み取るようにしても良い。
【００２６】
発行条件が設定されると、制御部３１は、個人情報を設定する処理（個人情報入力）を行う（Ｓ１４）。個人情報は、定期券が発行される個人を特定する情報である。個人情報としては、氏名（例えば、カナ、英字）、生年月日、年齢、大小（大人／小児）、性別、電話番号などがある。制御部３１は、個人情報として入力すべき各種の情報の入力画面を操作表示部３６に表示し、各種の情報の入力を受付ける。なお、個人情報の一部または全部は、購入者が提示する発行済みの磁気定期券などの記録媒体から読み取るようにしても良い。
【００２７】
また、図３に示すＳ１２、Ｓ１３およびＳ１４の処理は、どの順序で実施しても良い。また、制御部３１は、Ｓ１２、Ｓ１３またはＳ１４の処理中に他の処理に戻って再入力（設定内容の変更）を行うようにしても良い。
【００２８】
発着経由、発行条件および個人情報の設定が終了すると、制御部３１は、設定された発着経由、発行条件および個人情報を含む発行内容を確認するための処理（入力確認処理）として、発行内容の確認画面を表示する（Ｓ１５）。すなわち、入力確認処理において、制御部３１は、設定された定期券の発行内容を示す確認画面を操作表示部３６に表示し、発行内容の確認の指示入力を受付ける。発行内容の確認画面は定期券の区間に対する経由として設定された経路を示す情報を含むものである。経路を含む発行内容の確認画面を表示する制御部３１は、経路を表示する経路表示部として機能する。
【００２９】
例えば、制御部３１は、発行内容の確認画面において、区間に対する経由としての経路における乗降駅および乗換駅などの各駅を並べて表示する。経由として表示される経路における各駅は、会社線ごとに表示形態を変えて表示される。例えば、経路における各駅は、会社線ごとに色分けして表示される。また、経路における各駅は、会社線ごとに下線等の文字飾りを付与して表示されたり、反転表示させて表示されたりしても良い。このような表示によれば、設定した経路における会社線ごとの区分けを直観的かつ確実に認識できるように明示できる。
【００３０】
また、経由として表示される経路における各駅のうち連絡駅は、連絡駅であることを示す表示状態で表示される。例えば、制御部３１は、連絡駅を括弧で囲んで表示する。また、連絡駅は、他の駅とは異なる特定の色で表示されても良いし、反転表示させても良いし、矩形或いは楕円などで囲んで表示させても良い。このように、経由としての経路の表示において連絡駅を括弧などで明示することによって連絡駅を確実に認識させることができる。なお、発行内容の確認画面の表示例および経由の表示例については、後で詳細に説明するものとする。
【００３１】
表示した発行内容に変更があれば（Ｓ１６、ＮＯ）、制御部３１は、係員による操作に応じてＳ１２、Ｓ１３またはＳ１４の処理へ戻り、発行内容の変更を受付ける。また、発行内容に変更がなければ（Ｓ１６、ＹＥＳ）、制御部３１は、定期券の代金を決済するための決済処理を実行する（Ｓ１７）。例えば、購入者が現金での決済を選択した場合、係員は、購入者から現金を受け取って金額処理部３５に投入する。現金が投入されると、制御部３１は、金額処理部３５に投入された現金で定期券の代金を決済する（Ｓ１７）。
【００３２】
定期券の代金の決済が完了すると（Ｓ１８、ＹＥＳ）、制御部３１は、定期券発行部として機能し、ＩＣカード処理機によりＩＣ定期券の発行処理を実行する（Ｓ１９）。例えば、制御部３１は、ＩＣカード内のメモリに対して発行内容に応じた定期券情報を書込むとともに、券面印刷部により定期券情報を書込んだＩＣカードの券面に定期券の券面情報を印刷することにより定期券を発行する。ＩＣ定期券を発行すると、制御部３１は、発行したＩＣ定期券のＩＤ情報を含む定期券情報を定期券サーバ１２へアップロードし、定期券の発行処理を終了する。
【００３３】
上記のような発行処理によれば、定期券発行装置は、発駅および着駅を含む発行内容を設定した後、発行内容の確認画面において、発駅と着駅とからなる区間に対する経路を会社線ごとに色分けや文字飾りなどで表示状態を変更して表示する。これにより、発行する定期券の区間に対する経路における会社線ごとの区分けを明確に認識することができ、経路設定のミスなどを防止できる。  
また、定期券発行装置は、発行内容の確認画面において区間に対する経路における連絡駅を括弧で囲むなどの他の駅とは異なる表示状態とする。これにより、発行する定期券の区間に対する経路における連絡駅を明確に認識することができ、経路設定のミスなどを防止できる。
【００３４】
次に、経路の表示を含む発行内容の確認画面の表示例について説明する。  
図４は、経路の表示を含む発行内容の確認画面の表示例を示す図である。  
図４に示す確認画面は、情報表示領域４０Ａおよびキー表示領域４０Ｂを有し、入力確認ボタン４１およびリセットボタン４２が表示される。情報表示領域４０Ａは、設定された情報（発行内容）を表示する領域である。キー表示領域４０Ｂは、後述する各種の情報の設定（選択）画面において各種の選択キーが表示される領域である。入力確認ボタン４１は、情報表示領域４０Ａに表示された発行内容を確認したことを指示するボタンである。リセットボタン４２は、設定した定期券の発行内容をリセットすることを指示するボタンである。また、図４に示す確認画面には、操作案内なども表示される。
【００３５】
図４に示す確認画面の情報表示領域４０Ａには、個人情報、発行条件および発着経由の各種情報が表示される。個人情報としては、氏名、生年月日、年齢、大人／小児、性別および電話番号などの情報がそれぞれの表示欄に表示される。発行条件としては、新規／継続、定期券種別、開始日、終了日、有効期間、支払種別などがそれぞれの表示欄に表示される。発着経由としては、発駅、着駅、経由がそれぞれの表示欄４３、４４、４５に表示される。
【００３６】
図４に示す確認画面において、表示欄４３は、発駅を表示する表示エリアであり、定期券の区間の発駅として設定された駅名が表示される。表示欄４４は、着駅を表示する表示エリアであり、定期券の区間の着駅として設定された駅名が表示される。表示欄４５は、発駅から着駅までの区間に対する経路（経由）を表示する表示エリアである。表示欄４５には、経路における各駅が並べられ、会社線ごとに表示状態を変えて表示される。さらに、表示欄４５では、経路における連絡駅が他の駅とは異なる表示状態で表示される。
【００３７】
図５乃至図８は、表示欄４５における経路の表示例を示す図である。図５は、１つの会社線からなる経路（自線単独の経路）の表示例を示す図である。図６は、２つの会社線からなる経路（２線連絡の経路）の表示例を示す図である。図７は、３つの会社線からなる経路（３線連絡の経路）の表示例を示す図である。図８は、４つの会社線からなる経路（４線連絡の経路）の表示例を示す図である。
【００３８】
自線（１社線）単独の経路である場合、図５に示すように、表示欄４５には、発駅の情報（発駅の駅名と路線名）と着駅の情報（発駅の駅名と路線名）とが同じ色で並べて表示される。図５の例では、「ａ駅」、「Ａ線」、「ｂ駅」、「Ｂ線」が同じ色で並べて表示欄４５に表示される。
【００３９】
２線連絡の経路である場合、図６に示すように、表示欄４５には、自線区間の駅を示す情報に加えて、連絡駅と２社線目の着駅の情報とが表示される。図６に示す例では、表示欄４５に、自線区間の駅を示す情報である「ａ駅」、「Ａ線」、「ｂ駅」、「Ｂ線」が第１の色で並べて表示され、連絡駅を示す「ｃ駅」および２社線目における着駅を示す「ｄ駅」、「Ｄ線」が第１の色とは異なる第２の色で表示される。また、「ｃ駅」、「ｄ駅」および「Ｄ線」は、下線が付された状態で表示される。さらに、連絡駅である「ｃ駅」は、括弧で囲んで表示される。
【００４０】
すなわち、２線連絡の経路の表示例としての図６に示す例では、２社線目の駅が、自線区間の駅とは異なる色で下線を付して表示され、連絡駅が、括弧で囲んで表示される。このような経路の表示によれば、２社線目の駅が自線区間の駅とは異なる表示状態で表示されるとともに、連絡駅が他の駅とは異なる表示状態で表示される。このため、自線と２社線との区分けが分かり易く、連絡駅を明確になる。
【００４１】
３線連絡の経路である場合、図７に示すように、表示欄４５には、自線区間の駅を示す情報と２社線目の駅を示す情報と３社線目の駅を示す情報とが並べて表示される。図７の例では、自線区間の駅を示す「ａ駅」、「Ａ線」、「ｂ駅」、「Ｂ線」が第１の色で並べて表示され、２社線目の駅を示す「ｄ駅（連絡駅）」、「ｄ駅」、「Ｄ線」が第１の色とは異なる第２の色で表示され、３社線目の駅を示す「ｅ駅（連絡駅）」、「ｆ駅」、「Ｆ線」が第２の色とは異なる第３の色（第１の色であっても良い）で表示される。また、２社線目の駅を示す「ｄ駅（連絡駅）」、「ｄ駅」および「Ｄ線」は、下線が付された状態で表示される。また、経路上の連絡駅である「ｄ駅」および「ｅ駅」は、括弧で囲んで表示される。
【００４２】
すなわち、３線連絡の経路の表示例としての図７に示す例では、２社線目の駅が、自線区間の駅および３社線目の駅とは異なる色で下線を付して表示され、連絡駅が、括弧で囲んで表示される。このような経路の表示によれば、３線連絡の経路において、隣り合って表示される他の会社線の駅を示す情報が互いに異なる表示状態で表示されるため、会社線ごとの区分けが分かり易い。また、各連絡駅が他の駅とは異なる表示状態で表示されるため、連絡駅を直観的に視認することも可能となる。
【００４３】
４線連絡の経路である場合、図８に示すように、表示欄４５には、自線区間の駅を示す情報と２社線目の駅を示す情報と３社線目の駅を示す情報と４社線目の駅を示す情報とが並べて表示される。図８の例では、自線区間の駅を示す「ａ駅」、「Ａ線」、「ｂ駅」、「Ｂ線」が第１の色で並べて表示され、２社線目の駅を示す「ｄ駅（連絡駅）」、「ｄ駅」、「Ｄ線」が第１の色とは異なる第２の色で表示され、３社線目の駅を示す「ｅ駅（連絡駅）」、「ｆ駅」、「Ｆ線」が第２の色とは異なる第３の色（第１の色であっても良い）で表示され、４社線目の駅を示す「ｇ駅（連絡駅）」、「ｈ駅」、「Ｈ線」が第３の色とは異なる第４の色（第２の色であっても良い）で表示される。また、２社線目の駅を示す「ｄ駅（連絡駅）」、「ｄ駅」および「Ｄ線」と、４社線目の駅を示す「ｇ駅（連絡駅）」、「ｈ駅」および「Ｈ線」とは、下線が付された状態で表示される。また、経路上の連絡駅である「ｄ駅」、「ｅ駅」および「ｇ駅」は、括弧で囲んで表示される。
【００４４】
すなわち、４線連絡の経路の表示例としての図８に示す例では、２社線目の駅が自線区間の駅および３社線目の駅とは異なる色で下線を付して表示され、４社線目の駅が３社線目の駅とは異なる色で下線を付して表示される。このような経路の表示によれば、４線連絡の経路においても、隣り合って表示される他の会社線の駅を示す情報が互いに異なる表示状態で表示されるため、会社線ごとの区分けが分かり易い。また、各連絡駅が他の駅とは異なる表示状態で表示されるため、連絡駅を直観的に視認することも可能となる。
【００４５】
図６乃至図８に示すように、本実施形態に係る定期券発行装置は、経由として複数の会社線を含む経路を表示する場合、経路における各駅の情報を会社線ごとに異なる表示状態で表示し、連絡駅を他の駅とは異なる表示状態で表示する。これにより、定期券発行装置を操作する係員又は購入者は、表示部に表示された経路において、会社線の区切りおよび連絡駅を直観的に分かり易く視認でき、設定する区間に対する経路（経由）の確認を確実に行うことができる。この結果として、本実施形態に係る定期券発行装置は、定期券の区間に対する経路（経由）の設定ミスなどを防止する効果が期待できる。
【００４６】
次に、発着経由の設定処理について説明する。  
図９は、定期券発行装置１３における発着経由の設定処理の例を説明するためのフローチャートである。  
発着経由の設定処理を開始すると、定期券発行装置１３の制御部３１は、まず、発駅設定部として機能し、発駅の設定処理を行う（Ｓ３１）。発駅の設定処理として、制御部３１は、発駅選択画面を操作表示部３６に表示し、係員による発駅の選択を受付ける。制御部３１は、発駅選択画面において、操作表示部３６にて選択可能な発駅の候補を表示する。
【００４７】
図１０は、発駅選択画面の表示例である。図１０に示す発駅選択画面は、会社選択領域１００Ａ、路線選択領域１００Ｂおよび駅選択領域１００Ｃを有する。会社選択領域１００Ａ、路線選択領域１００Ｂおよび駅選択領域１００Ｃは、図４に示すキー表示領域４０Ｂに対応する位置に設けられる。
【００４８】
会社選択領域１００Ａには、会社を選択するための少なくとも１つの会社キー１０１と当駅を選択する当駅キー１０２とが表示される。会社キー１０１は、発駅が存在する路線を運用する会社を選択するボタンである。当駅キー１０２は、当該定期券発行装置が設置されている駅（当駅）を発駅に設定することを指示するボタンである。  
路線選択領域１００Ｂには、路線を選択するための少なくとも１つの路線キー１０３が表示される。例えば、路線選択領域１００Ｂには、会社選択領域１００Ａにおいて選択状態となっている会社キー１０１が対応する会社に属する各路線に対応する複数の路線キー１０３が表示される。
【００４９】
駅選択領域１００Ｃには、発駅として選択可能な少なくとも１つの駅キー１０４が表示される。例えば、駅選択領域１００Ｃには、路線選択領域１００Ｂにおいて選択状態となっている路線キー１０３が対応する路線上の各駅に対応する複数の駅キー１０４が表示される。
【００５０】
すなわち、図１０に示す発駅選択画面は、操作者（係員）が、会社選択領域１００Ａにおける会社キー１０１、路線選択領域１００Ｂにおける路線キー１０３、および、駅選択領域１００Ｃにおける駅キー１０４の順番に選択することにより所望の発駅が選択できるように構成されている。
【００５１】
発駅が設定されると、制御部３１は、着駅設定部として機能し、着駅の設定処理を行う（Ｓ３２）。着駅の設定処理として、制御部３１は、着駅選択画面を操作表示部３６に表示し、係員による着駅の選択を受付ける。制御部３１は、着駅選択画面において、操作表示部３６にて選択可能な着駅の候補を表示する。
【００５２】
図１１は、着駅選択画面の表示例である。図１１に示す着駅選択画面は、会社選択領域１１０Ａ、路線選択領域１１０Ｂおよび駅選択領域１１０Ｃを有する。会社選択領域１１０Ａ、路線選択領域１１０Ｂおよび駅選択領域１１０Ｃは、図４に示すキー表示領域４０Ｂに対応する位置に設けられる。
【００５３】
会社選択領域１１０Ａには、会社を選択するための少なくとも１つの会社キー１１１が表示される。会社キー１１１は、着駅が存在する路線を運用する会社を選択するボタンである。路線選択領域１１０Ｂには、路線を選択するための少なくとも１つの路線キー１１２が表示される。例えば、路線選択領域１１０Ｂには、会社選択領域１１０Ａにおいて選択状態となっている会社キー１１１が対応する会社に属する各路線に対応する複数の路線キー１１２が表示される。駅選択領域１１０Ｃには、着駅として選択可能な各駅に対応する少なくとも１つの駅キー１１３が表示される。例えば、駅選択領域１１０Ｃには、路線選択領域１１０Ｂにおいて選択状態となっている路線キー１１２が対応する路線上の各駅に対応する少なくとも１つの駅キー１１３が表示される。
【００５４】
すなわち、図１１に示す着駅選択画面では、操作者（係員）が、会社選択領域１１０Ａにおける会社キー１１１、路線選択領域１１０Ｂにおける路線キー１１２、駅選択領域１１０Ｃにおける駅キー１１３の順番に選択することにより所望の着駅が選択できるように構成されている。また、図１１に示す着駅選択画面は、駅の名称から着駅を検索するための駅名検索キー１１４も具備する。駅名検索キー１１４が選択されると、操作表示部３６は、文字入力画面を表示し、文字入力画面において入力された文字に応じて駅名を検索した結果から着駅として選択可能な駅キーを表示するようになっている。
【００５５】
発駅および着駅からなる区間が設定されると、制御部３１は、経由の設定処理を行う（Ｓ３３−Ｓ４０）。経由の設定処理において、制御部３１は、設定された区間が１社線（自線）単独の経路か否かを判断する（Ｓ３３）。自線単独であると判断した場合（Ｓ３３、ＮＯ）、制御部３１は、Ｓ３８へ進む。
【００５６】
自線単独ではないと判断した場合（Ｓ３３、ＹＥＳ）、制御部３１は、設定された区間において自線の出口となる駅（自線から他の会社線への乗換駅）の候補が複数存在するか否かを判断する（Ｓ３４）。自線出口の候補となる駅が１つである（自線出口が一意に決まる）と判断した場合（Ｓ３４、ＮＯ）、制御部３１は、当該駅を自線出口として設定し、Ｓ３６へ進む。
【００５７】
また、自線出口の候補が複数存在すると判断した場合（Ｓ３４、ＹＥＳ）、制御部３１は、自線出口となる駅を設定するための自線出口の選択処理を行う（Ｓ３５）。自線出口の選択処理として、制御部３１は、自線出口の選択画面を操作表示部３６に表示し、係員による自線出口となる駅の選択を受付ける。制御部３１は、自線出口の選択画面において、選択可能な自線出口となりうる複数の駅の候補を表示する。
【００５８】
図１２は、自線出口の選択画面の表示例である。図１２に示す自線出口の選択画面は、設定された区間において、自線から他の会社線への乗換えが可能な駅の候補を駅キー１２１として表示する。ここでは、自線出口が複数ある場合に自線出口の選択画面を表示する。このため、制御部３１は、自線出口の駅（乗換駅）として選択可能な複数の駅に対応する複数の駅キー１２１を表示した自線出口の選択画面を操作表示部３６に表示する。操作者（係員又は購入者）は、自線出口の選択画面において自線出口とする駅の駅キーを選択して指示する。制御部３１は、自線出口の選択画面において選択された駅を自線出口として設定する。
【００５９】
自線出口を設定すると、制御部３１は、設定した区間および自線出口に対して、２線単独または３線入口（３つ目の会社線への入口となる駅）の候補が複数存在するかを判断する（Ｓ３６）。２線単独または３線入口の候補がないと判断した場合（Ｓ３６、ＮＯ）、制御部３１は、Ｓ３８へ進む。
【００６０】
また、２線単独または３線入口の候補が複数存在すると判断した場合（Ｓ３６、ＹＥＳ）、制御部３１は、２線単独または３線入口を設定するための処理として、２線単独または３線入口を複数の候補から選択する選択処理（３線入口の選択処理）を行う（Ｓ３７）。３線入口の選択処理として、制御部３１は、２線単独または３線入口を選択するための３線入口の選択画面を操作表示部３６に表示し、操作者による２線単独または３線入口の選択を受付ける。
【００６１】
図１３は、３線入口の選択画面の表示例である。図１３に示す表示例では、３線入口となりうる少なくとも１つの各駅に対応する駅キー１３１と２線単独を指示する２線単独キー１３２とを選択可能な候補として操作表示部３６に表示する。操作者（係員又は購入者）は、３線入口の選択画面において、３線入口とする駅の駅キー１３１または２線単独キー１３２の何れか１つを選択する。制御部３１は、駅キー１３１の何れかが選択された場合には選択された駅キーに対応する駅を３線入口の駅として設定し、２線単独キー１３２が選択された場合には２線単独を設定する。
【００６２】
上記Ｓ３７までの処理によって経路を検索するための条件（区間および連絡駅）が設定される。経路を検索するための条件が設定すると、制御部３１は、設定された条件（区間および連絡駅）に基づいて経路候補を検索し、検索結果として得られた経路候補を経路選択画面に表示する（Ｓ３８）。操作者は、経路選択画面に表示される経路候補から１つの経路を選択する。制御部３１は、操作者が選択する経路候補から選択する経路を発行する定期券の経由として設定する。
【００６３】
図１４は、経路選択画面の表示例を示す図である。  
図１４に示す表示例では、設定された条件に基づいて検索された経路候補を示す情報が表示される。図１４に示す例では、経路選択画面に複数の経路候補１４１〜１４７が表示される。経路選択画面における各経路候補１４１〜１４７としては、経路を示す情報と各期間の定期券代金とがそれぞれ表示される。操作者は、経路選択画面に表示された各経路候補１４１〜１４７から所望の経路を選択する。
【００６４】
また、図１４に示す経路選択画面における各経路候補１４１〜１４７では、それぞれに設定された経路表示欄１４１ａ〜１４７ａに経路を示す情報が表示される。各経路表示欄１４１ａ〜１４７ａには、図５乃至図８に示すような表示形式で経路を示す情報が表示される。すなわち、各経路表示欄１４１ａ〜１４７ａには、経路における各駅の情報を会社線ごとに異なる表示状態（異なる色および／または下線等の文字飾り）で表示し、連絡駅を他の駅とは異なる表示状態で表示する。これにより、操作者は、経路候補として表示された経路における会社線ごとの区切りおよび連絡駅を直観的に分かり易く視認でき、経路（経由）の選択を確実に行うことができる。
【００６５】
経路候補から１つの経路が選択されると（Ｓ３９、ＹＥＳ）、制御部３１は、選択された経路を設定された区間に対する経由して設定する（Ｓ４０）。経由が設定されると、制御部３１は、発駅、着駅および経由などの発着経由の設定内容を示す発着経由の確認画面を表示する（Ｓ４１）。
【００６６】
発着経由の確認画面は、図４に示す確認画面と同様な構成の画面であっても良い。例えば、制御部３１は、個人情報および発行条件が設定されていなければ、発駅、着駅および経由を図４に示す表示欄４３、４４および４５に表示した発着経由の確認画面を表示するようにして良い。上述したように、表示欄４５には、経由として設定された経路における乗降駅および連絡駅などの各駅が並べて会社線ごとに表示形態を変えて表示され、連絡駅が他の駅とは区別されて表示される。
【００６７】
発着経由の確認画面を表示した場合、制御部３１は、設定内容の確認指示、または、変更する項目の指示を受付ける。発着経由の設定内容に対して変更の指示を受けた場合（Ｓ４２、ＮＯ）、制御部３１は、操作者による操作に応じてＳ３１、Ｓ３２、Ｓ３５またはＳ３７などの処理へ戻り、発着経由の設定内容の変更を受付ける。また、設定内容の確認指示を受けた場合、つまり、表示した発着経由の設定内容に変更がない場合（Ｓ４２、ＹＥＳ）、制御部３１は、発着経由の設定処理を終了する。
【００６８】
なお、上述した例では、定期券発行装置１３として係員定期券発行機１３ａを想定して定期券の発行処理について説明したが、自動定期券発行機１３ｂにおいても同様な定期券の発行処理を実現できる。ただし、自動定期券発行機１３ｂは、定期券の発行処理に対する操作に不慣れな購入者自身が操作者となるため、係員定期券発行機１３ａよりも直観的に認識しやすい表示内容や操作工程が少ない操作手順が要望される。
【００６９】
例えば、図１５は、自動定期券発行機１３ｂにおける経路選択画面の表示例である。図９に示す発着経由の設定処理の例では、自線出口（乗換駅）、および、３線入口または２線単独などを操作者が選択した後に経路候補を検索したが、自動定期券発行機１３ｂでは、乗換駅等を操作者が指定すること無く、操作者が指定した発駅および着駅に基づいて経路候補を検索するようにしても良い。
【００７０】
図１５に示す経路選択画面では、設定した発駅および着駅を条件として経路候補を検索した結果として、２線連絡の経路、３線連絡の経路および４線連絡の経路が経路候補として表示されている。また、各経路候補は、図５乃至図８に示すように、会社線の区分け、および、連絡駅を明確にした表示状態で表示される。これにより、購入者自身が操作者であっても、会社線の区分け、および、連絡駅が分かり易い経路の表示が実現できる自動定期券発行機を提供できる。
【００７１】
上記のような実施形態によれば、定期券発行装置は、発駅および着駅を含む発行内容を設定した後、発行内容の確認画面あるいは経路選択画面において、発駅と着駅とからなる区間に対する経路を会社線ごとに色分けや文字飾りなどで表示状態を変更して表示する。これにより、操作者は、発行する定期券の区間に対する経路における会社線ごとの区分けを明確に認識することができ、経路設定のミスなどを防止できる。  
また、定期券発行装置は、発行内容の確認画面あるいは経路選択画面において、区間に対する経路における連絡駅を括弧で囲むなどの他の駅とは異なる表示状態とする。これにより、発行する定期券の区間に対する経路における連絡駅を明確に認識することができ、経路設定のミスなどを防止できる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
１１…定期券発行システム、１３ａ…係員定期券発行機（定期券発行装置）、１３ｂ…自動定期券発行機（定期券発行装置）、３１…制御部（設定部）、３２…記憶部、３３…ＩＣカード処理部（定期券発行部）、３４…磁気券処理部（定期券発行部）、３６…操作表示部（表示部、操作部）。
【図１】
2018190087.tif 000003
【図２】
2018190087.tif 000004
【図３】
2018190087.tif 000005
【図４】
2018190087.tif 000006
【図５】
2018190087.tif 000007
【図６】
2018190087.tif 000008
【図７】
2018190087.tif 000009
【図８】
2018190087.tif 000010
【図９】
2018190087.tif 000011
【図１０】
2018190087.tif 000012
【図１１】
2018190087.tif 000013
【図１２】
2018190087.tif 000014
【図１３】
2018190087.tif 000015
【図１４】
2018190087.tif 000016
【図１５】
2018190087.tif 000017